(57)【要約】【課題】速やかに安全に対応でき、保管場所も小さなオープンスペースを選べ、又汚れた場合には簡単に洗浄できる機能特性を持つ、高温な容器の保持移動のための道具を提供する。【解決手段】手指全体を被覆するのではなく、断熱部と保持部とからなる一対の小道具を両手指でそれぞれを摘み又は挟み持ち、これらを容器の左右から押し付けながら熱い調理容器を保持移動する方法にすれば、容器を移動させたい際に短時間の対応が可能となる。高温な容器に接触させる断熱部（１）も、指で挟み持つ部分（２）も、滑り難く、耐熱性、断熱性を兼ね備える弾性樹脂材で構成する。【選択図】図１２
2004041678.tif 000002
【特許請求の範囲】
【請求項１】
高温の容器に接する断熱部分（１）と、手指で摘む或いは挟んで支える保持部分（２）とが連接又は連続して成る、全体または一部（高温の容器や手指が触れる表面部分）が高い摩擦抵抗、耐熱性、断熱性を兼ね備えた弾性材でできていることを特徴とする高温な容器用の一対の保持移動具。
【請求項２】
高い摩擦抵抗、耐熱性、断熱性を兼ね備える弾性材としてシリコーンゴム、又はエラストマーを用いたことを特徴とする請求項１に記載の高温な容器用の一対の保持移動具。
【請求項３】
高温の容器に接する断熱部分（１）が盤状であり、それの高温の容器と接しない反対側に保持部分（２）が連なることを特徴とする請求項１または請求項２に記載の高温な容器用の一対の保持移動具。
【請求項４】
高温の容器に接する盤状の断熱部分（１）が、吸盤の機能も有していることを特徴とする請求項３に記載の高温な容器用の一対の保持移動具。
【請求項５】
全体が自在に変形し得る管筒形状で、その母線に沿う一部分を保持部分（２）に選べば、残りの部分を断熱部分（１）且つ保持部分（２）とにできる相補協調的機能特性を備えることを特徴とする請求項１、または請求項２に記載の高温な容器用の一対の保持移動具。
【請求項６】
複数の同等な保持の仕方が可能な立体回転対称性を有する形状であることを特徴とする請求項１、または請求項２に記載の高温な容器用の一対の保持移動具。
【請求項７】
全体が正三角柱を基本としたその類形状、或いは３枚の同等の羽根部分を円周等間隔に備えた柱状の形状をしていて、３回回転対称性を有する形状であることを特徴とする請求項６に記載の高温な容器用の一対の保持移動具。
【請求項８】
中央部分が軸線方向に管状空洞となっていることを特徴とする請求項７に記載の高温な容器用の一対の保持移動具。
【請求項９】
全体が正４面体形状を基本としたその類形状、或いは４個の同
等の突起部分が球面周等間隔に中心部から伸びた形状をしていて、４回回転対称性を有する形状であることを特徴とする請求項６に記載の高温な容器用の一対の保持移動具。
【請求項１０】
加熱調理装置筐体の側面などへの付着格納を可能とする吸盤や磁性体をその一部に備えていることを特徴とする請求項３、４、５、６、７、８、９に記載の高温な容器用の一対の保持移動具。
【発明の詳細な説明】
【０００１】
【発明が属する技術分野】
本発明は、加熱調理の際、高温な容器を、手指に火傷をせぬ様に、速やかに安全に移動させることを可能とする道具に関する。
【０００２】
【従来の技術】
加熱調理の際の高温な容器の移動には、従来、断熱綿などを用いた布製の一対の大きめのグローブ（ミトン）が用いられている。従来のこういう布製グローブでは、両手に手袋を嵌めるのに手間取が掛かるし、その保管も比較的に嵩張る。又、汚れた際の洗浄が簡単ではない。ミトンが無い時、或いは手に嵌めるのが面倒臭く思われる時、間に合わせに布巾や手拭いなどを用いることもあるが、安全衛生面で問題が無いとは言えない。
【０００３】
【発明が解決しようとする課題】
速やかにしかも安全に対応でき、保管も使用する際に便利の良いオープンな小領域に行え、又汚れた場合には簡単に洗浄もできる、熱い調理容器の保持移動のための一対の道具を提供する。
【０００４】
【課題を解決するための手段】
手指全体を被覆するのではなく、断熱部分（１）と保持部分（２）とからなる一対の道具を両手指でそれぞれを摘み或いは挟み持ち、これらを容器の左右から押し付けながら熱い調理容器を保持移動する方法にすれば、容器を移動させたい際に短時間対応が可能となる。安全確実に高温の容器を保持移動できる様に、容器に接触させる断熱部分（１）も指で挟み持つ保持部分（２）も、シリコーンゴムやエラストマーなどの摩擦抵抗が高くて滑り難い、しかも耐熱性、断熱性に優れた弾性材を選ぶ。このような構造、材質とすることにより、小型で安全、汚れた場合の洗浄も簡単な熱い調理容器の移動保持具を実現できる。又、磁性体や吸盤などを付加することにより、調理器筐体側面などの便利の良い場所に保管することも可能となる。
【０００５】
ここで、「摩擦抵抗が高い」とは、本発明品の一対を手指で摘み或いは挟み持って、それらを左右から押し付けながら高温の容器を空中に保持する時に、本発明品と容器、本発明品と手指の間が簡単には滑らないことを言う。また、「耐熱性に優れた」とは、少なくとも摂氏１００度で変質しないことを意味し、「断熱性に優れた」とは、一般的な天然又は合成ゴムと同程度以下の低い熱伝導度を有することを意味する。弾性材としてのゴムの種類は多いが、好ましくは天然ゴムではなく、経年劣化が少なく弾性、摩擦抵抗、耐熱性などの点で選択の余地の多い合成ゴム、例えばシリコーンゴムや、それに近い特性を示すエラストマーと呼ばれる樹脂（ＴＰＥ）などが適切である。シリコーンゴムの様な柔軟な弾性材は、肉厚が数ｍｍ程度に薄ければ、手指や容器の形状に容易に倣い易く、しかも摩擦抵抗が高くて滑り難いので、本発明品に用いる素材としては大変好都合である。
【０００６】
【実施例】
図１は、熱い調理容器に接する部分（１）が正方形の盤状であり、調理容器に接する側にゴムなどの弾性樹脂板材を貼り付けてある本発明品の一例である。ゴム面と反対の裏側に手指で保持する部分（２）が突き出している。（２）の手指で挟む面の両面にゴム磁石板を貼り付けておけば、図２に示す様に、例えば電子レンジの稜線部に格納し易く、必要の都度直ぐに使えて便利である。
【０００７】
図３は、熱い調理容器に接する部分（１）が扁平な管状形状をした本発明品の例で、合成ゴムなどの柔らかい弾性材で出来ている。端部は保持部分（２）を構成するが、管状部分は断熱部分（１）としての機能と、保持部分（２）としての機能との両方の役割を担う。扁平な端部の面にゴム磁石板が貼り付けてあり、図４に示すように、例えば加熱調理装置の側面といった便利の良い場所に格納保管できる。
【０００８】
図５は、図３に示す扁平管状型の本発明品を用いて熱い調理容器を保持してい
る状態を示す。管状部分は柔軟に変形、自在に拡がるので、図のように手指を熱から守る形状にできる。図６は、同じこの発明品を異なる保持の仕方で利用している状態を示している。利用者は、各々最も利用し易い持ち方、持つ位置を選べる。図５では、扁平な（２’）部を人差し指と中指とで挟み持っているが、この部分を親指と他の指とで摘み挟んで持っても良い。或いは、管内に指を差し入れた形で保持する使用の仕方も可能である。
【０００９】
図３の管状部分が閉じた場合、即ち単純な一枚の盤状形状の弾性材という形態になるが、これも本発明の特殊な例として考えられる。ただし、この場合には持ち方は図６と同様な持ち方に限定されてしまう。高温の容器に接する断熱部分（１）と手指を掛けて摘み或いは挟んで支える保持部分（２）とが渾然一体となる形態である。
【００１０】
図７は、熱い調理容器に接する部分（１）が浅い皿状の凹球面をなす円盤であり、その裏面である凸面側に手指で保持する部分（２）が突き出している本発明品の例である。合成ゴムなどの弾性樹脂素材で製作することにより、断熱性に優れ、又容器や手指に対して滑り難く、高温の容器を安全に移動することが可能な機能を持たせることができる。（１）の断熱部分に吸盤としての機能も併せ持たせれば、電子レンジなどの調理器具の外側壁面や前面ガラス板面に格納し易く、必要の都度直ぐに使えて便利である。
【００１１】
図８は、図７に示した本発明品を用いて高温の容器を保持して運ぶ様子を表している。電子レンジ庫内から高温の容器を取り出す際には、この図７の様な保持の仕方をすれば、容器と庫内壁面の狭い隙間にも手指を入れ易い。容器の周囲が十分広い場合には図９の様な保持の仕方で、高温の容器を保持移動できる。
【００１２】
図１０は、互いに１２０度の間隔で３つの羽根のような突起部を有する正三角柱類型の本発明品の例であり、合成ゴムなどの弾性樹脂材で加工されている。中央部には管状空洞部分を有する。３つの弓なりに凹んだ側面の中のひとつを高温の容器に接触させる面（１）に選べば、その面と対を成す反対側の突起部と他の２面が手指を掛けて保持する部分（２）となる。本発明は３回対称性があり、ユーザーの利便性が高い。図１０では、製品に必要な柔軟性や材料節約も考えて中央部分を管状に空洞化させてあるが、この空洞部の故に容器や手指に柔軟に倣って密着し易い。３枚の中の何れか２枚の羽根のような突起部を閉じるように手指で狭めれば、それらの付け根近傍部分が管状空洞部分内に押し込まれるように変形して折り畳まれるので、図１３のように皿状容器を保持する場合には非常に持ち易くて都合が良い。この管状空洞部分は、本発明品をフックなどに引っ掛けて保管することも可能とする。
【００１３】
図１１、図１２、図１３は、それぞれ図１０に示した正三角柱類型の管状空洞部を有
する発明品を用いて高温の容器を保持する仕方を表している。図１１は、電子レンジなどの狭い加熱調理器庫内から高温の容器を取り出す場合に都合の良い保持の仕方、図１２は容器の周囲が十分に広い場合に使える保持の仕方である。図１３は、皿状の容器を保持する仕方を示す。適切なゴム硬度、肉厚、寸法を選ぶことにより、発明品は柔軟に手指と容器にフィットする。図１４は、管状空洞部分を持たない正三角柱類型の本発明の例である。
【００１４】
図１５は、正４面体類型の本発明品の例で、合成ゴムなどの弾性樹脂材で加工されている。手指で掴み易くするために、又材料を節約するために、又全体を柔軟にするためにも、それぞれの面から中心に向かって対称に肉を削いで凹ませてある。四つの面のひとつを容器に接触させる面（１）に選べば、その面と対を成す反対側の角突起部及び他の三つの面が手指を掛けて保持する部分（２）となる。本発明品は４回対称性があり、ユーザーの利便性が高い。
【００１５】
図１６は、正四面体の各頂点に球体を配した形態の本発明品の例である。各球体は合成ゴムなどの弾性樹脂材でできていて、互いに接着材で接合されている。四つの球体中のひとつを手指で保持する部分（２）に選べば、他の三つの球体が高温の容器に接触する部分（１）となる。本発明品も４回対称性があり、利用し易い。球体が互いに直接に接着されていてもよいし、原子モデルの様に軸木を介して接合されていてもよい。図１７と図１８はこの発明品を用いて熱い調理容器を保持する様子を示している。
【００１６】
【発明の効果】
電子レンジなどの加熱調理装置から高温の容器を取り出して保持移動する際に、本発明品を用いることにより、短時間に安全に対応できるようになる。即ち、従来のグローブ又はミトンの様な道具を手指に被せる手間を省ける。
【００１７】
本発明品は小型で嵩張らないので、磁性体や吸盤を付加すれば、加熱調理装置筐体側面などの何時でも直ぐに使える便利な場所に格納しておくことができる。本発明品の形状によっては、磁性体や吸盤を持たせずとも、小型のフックに掛けて格納保管することも可能である。
【００１８】
素材にゴムなどの弾性樹脂を選ぶため、壊れ難く、又食品などで汚れた場合でも容易に洗浄ができて、安全衛星面でも優れる。
【００１９】
形状面、材質面で本発明は柔軟性が高く、鍋、皿、鉢、コップなど大小様々な形状の容器に用いることができる。
【００２０】
手指を自由に使って多様な持ち方ができることは、ユーザーの好みや癖などの多様性に合わせ易いことでもあり、そういう意味でも道具として柔軟性が高い。
【図面の簡単な説明】
【図１】本発明品の最も基本的な構成形態を示す。
【図２】図１の本発明を電子レンジ筐体の稜線に格納した状態。
【図３】本発明品の一例（扁平管状型）
【図４】図３の本発明品を電子レンジ筐体の側面に格納した状態。
【図５】図３の本発明品を用いての高温容器保持の仕方
【図６】図３の本発明品を用いての高温容器のもうひとつの保持の仕方
【図７】本発明品の一例（吸盤型）
【図８】図７の本発明を用いての高温容器保持の仕方
【図９】図７の本発明を用いての高温容器のもうひとつの保持の仕方
【図１０】本発明品の一例（正三角柱類型管状型）
【図１１】図１０の本発明品を用いての高温容器保持の仕方
【図１２】図１０の本発明品を用いての高温容器のもうひとつの保持の仕方
【図１３】図１０の本発明品を用いての皿状高温容器保持の仕方
【図１４】本発明品の一例（正三角柱類型）
【図１５】本発明品の一例（正４面体類型）
【図１６】本発明品の一例（ボール正４面体配置型）
【図１７】図１４の本発明品を用いての高温容器保持の仕方
【図１８】図１４の本発明品を用いての高温容器のもうひとつの保持の仕方
【符号の説明】
１　　　高温の容器に接する部分
１’　　　高温の容器に接する部分
１’’　　高温の容器に接する部分
２　　　手指で保持する部分
２’　　　手指で保持する部分
２’’　　手指で保持する部分
３　　　１に張り付けられたゴム板
４　　　２又は２’に張り付けられた磁性ゴム板
５　　　高温の調理容器
６　　　扁平管状型の本発明品
７　　　吸盤型の本発明品
８　　　三角柱管状型の本発明品
９　　　ボール正４面体配置型の本発明品
１０　　　電子レンジ
１１　　　皿状の高温調理容器
【図１】
2004041678.tif 000003
【図２】
2004041678.tif 000004
【図３】
2004041678.tif 000005
【図４】
2004041678.tif 000006
【図５】
2004041678.tif 000007
【図６】
2004041678.tif 000008
【図７】
2004041678.tif 000009
【図８】
2004041678.tif 000010
【図９】
2004041678.tif 000011
【図１０】
2004041678.tif 000012
【図１１】
2004041678.tif 000013
【図１２】
2004041678.tif 000014
【図１３】
2004041678.tif 000015
【図１４】
2004041678.tif 000016
【図１５】
2004041678.tif 000017
【図１６】
2004041678.tif 000018
【図１７】
2004041678.tif 000019
【図１８】
2004041678.tif 000020
【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
高温の容器に接する断熱部分（１）が盤状であり、それの高温の容器と接しない反対側（裏側）に手指で摘む又は挟持するための保持部分（２）が連なる同一の立体幾何形状の２個１組から成り、（１）と（２）の部分が耐熱性、断熱性、高い摩擦抵抗を兼ね備える弾性材でできていることを特徴とする一対の高温容器用移動保持具。
【請求項２】
高温の容器に接する盤状の断熱部分（１）が、吸盤の機能も有していることを特徴とする請求項１に記載の一対の高温容器用移動保持具。
【請求項３】
全体が耐熱性、断熱性、高い摩擦抵抗を兼ね備え自在に変形し得る弾性材でできている管筒形状で、その母線に沿う一部分を保持部分（２）に選べば、残りの部分が断熱部分（１）兼保持部分（２）になる相補協調的機能特性を有する同一の立体幾何形状の２個１組から成ることを特徴とする一対の高温容器用移動保持具。
【請求項４】
複数の同等な保持の仕方が可能な立体回転対称性を有し、耐熱性、断熱性、高い摩擦抵抗を兼ね備える弾性材でできている同一の立体幾何形状の２個１組から成ることを特徴とする一対の高温容器用移動保持具。
【請求項５】
全体が正三角柱を基本としたその類形状、或いは３枚の同等の羽根部分を円周等間隔に備えた柱状の形状をしていて、３回回転対称性を有する形状であることを特徴とする請求項４に記載の一対の高温容器用移動保持具。
【請求項６】
中央部分が軸線方向に管状空洞となっていることを特徴とする請求項５に記載の一対の高温容器用移動保持具。
【請求項７】
全体が正４面体形状を基本としたその類形状、或いは４個の同等の突起部分が球面周等間隔に中心部から伸びた形状をしていて、４回回転対称性を有する形状であることを特徴とする請求項４に記載の一対の高温容器用移動保持具。
【請求項８】
加熱調理装置筐体の側面などへの付着格納を可能とする吸盤や磁性体をその一部に備えていることを特徴とする請求項１、２、３、４、５、６、７に記載の一対の高温容器用移動保持具。